(57)【特許請求の範囲】
【請求項１】
発光管と、底壁に複数の第１孔を有し内部に前記発光管を保持する筺体と、前記第１孔に対応する複数の第２孔を有し、且つ前記発光管が発光した光を前記表示部に反射させるべき反射シートと、第１孔及び第２孔の夫々に挿通することにより係止される係止部を有し前記発光管を前記底壁に保持するホルダとを備える光源装置において、前記反射シートと前記底壁との間に、第１孔及び第２孔の夫々を閉塞する閉塞部を有し、且つ前記係止部が第２孔に挿通されることにより前記閉塞部が第１孔から外部に押出されるべき可撓シートを配してあることを特徴とする光源装置。
【請求項２】
前記可撓シートは前記反射シート、又は前記底壁に貼付けてある請求項１記載の光源装置。
【請求項３】
前記可撓シートは前記反射シートの前記底面と対向する面で且つ夫々の第２孔の周り、又は前記底壁の前面で且つ夫々の第１孔の周りに貼付けてある請求項１記載の光源装置。
【請求項４】
底壁に複数の第１孔を有し内部に発光管を保持すべき筺体内に、第１孔に対応する複数の第２孔を有し前記発光管が発光した光を反射させるべき反射シートを取着し、第１孔及び第２孔の夫々に挿通して前記底壁に係止されるホルダにより前記発光管を筺体内に保持する光源装置の製造方法において、第２孔の夫々を閉塞する閉塞部を有する可撓シートを前記反射シートの前記底面と対向する面に貼付ける貼付工程と、可撓シートが貼付けられた前記反射シートを前記筺体内に取着する取着工程と、前記ホルダを第２孔及び第１孔に挿通して前記閉塞部を第１孔から外部に押出しつつ前記ホルダを前記底壁に係止する係止工程とを含むことを特徴とする光源装置の製造方法。
【発明の詳細な説明】
【技術分野】
【０００１】
本発明は液晶表示装置等の表示装置の光源として使用される光源装置、及びこれを製造する製造方法に関する。
【背景技術】
【０００２】
テレビ等の表示装置は、画像を表示する画像表示面を前側に有する表示部の後側に光源装置が配されている。
【０００３】
光源装置は、例えば複数の発光管と、内部に前記発光管を保持する筺体と、前記発光管が発光した光を前記表示部に反射させる反射シートとを備える（例えば特許文献１参照）。
【０００４】
図７は従来の光源装置の一部を拡大した断面図である。光源装置として図７に示すように前記筺体の底壁１００に複数の第１孔１０１を明け、該第１孔１０１に対応する第２孔１０２を反射シート１０３に設け、第１孔１０１及び第２孔１０２に挿通される二つの可撓片１０４，１０４と発光管１０５の中間部が嵌合保持される二つの保持片１０６，１０６とを有するホルダ１０７を前記底壁１００の第１孔１０１に係止し、該ホルダ１０７の保持片１０６，１０６に発光管１０５の中間部を嵌め込みにより保持するように構成されたものも知られている。
【０００５】
ところで、筺体の底壁１００に第１孔１０１が明けられ、反射シート１０３に第２孔１０２が明けられた光源装置にあっては、筺体外部の埃が第１孔１０１及び第２孔１０２とホルダ１０７との間の隙間から筺体内に侵入し、この侵入した埃が前記表示部の後面に付着し、画像表示面に画像ムラとして現れることがあり、また、発光管１０５が発光した光が第２孔１０２及び第１孔１０１から筺体の外部に洩れることがあるため、第１孔１０１に対応する大きさのフェルトシート１０８を第１孔１０１の周りに貼付けることにより外部の埃が前記隙間から筺体内に侵入するのを防ぐようになっている。
【特許文献１】特開２００２−６７５５号公報
【発明の開示】
【発明が解決しようとする課題】
【０００６】
しかしながら、図７のように構成された光源装置にあっては、第１孔１０１の個数分のフェルトシート１０８を貼付けるため、表示装置が比較的大形である場合、フェルトシート１０８の貼付け個数が非常に増加し、ホルダを挿通係止する孔の塞ぎ作業性が悪いし、また、フェルトシート１０８を貼り忘れることがあり、改善策が要望されていた。
【０００７】
本発明は斯かる事情に鑑みてなされたものであり、主たる目的は反射シートと筺体の底壁との間に、第１孔及び第２孔の夫々を閉塞する閉塞部を有する可撓シートを設けることにより、ホルダを挿通係止する孔を閉塞するための閉塞作業性を向上できるとともに、孔の閉塞忘れをなくすることができる光源装置を提供することにある。
【０００８】
また、他の目的は可撓シートを反射シート、又は筺体の底壁に貼付けることにより、可撓シートを備える割に組立て作業性を簡易にできる光源装置を提供することにある。
【０００９】
また、他の目的は反射シートの後面で且つ夫々の第２孔の周り、又は筺体の底壁の前面で且つ夫々の第１孔の周りに可撓シートを貼付けることにより、比較的少量の貼付剤で第１孔又は第２孔を完全に閉塞することができる光源装置を提供することにある。
【００１０】
また、他の目的は第２孔の夫々を閉塞する閉塞部を有する可撓シートを反射シートの底壁と対向する面に貼付け、この可撓シートが貼付けられた反射シートを筺体内に取着し、ホルダを第２孔及び第１孔に挿通することにより閉塞部を第１孔から外部に押出すことができる製造方法とすることにより、ホルダを挿通係止する孔を完全に閉塞することができる割に光源装置の組立て作業性を向上でき、コストダウンを図ることができる光源装置の製造方法を提供することにある。
【課題を解決するための手段】
【００１１】
本発明に係る光源装置は、発光管と、底壁に複数の第１孔を有し内部に前記発光管を保持する筺体と、前記第１孔に対応する複数の第２孔を有し、且つ前記発光管が発光した光を前記表示部に反射させるべき反射シートと、第１孔及び第２孔の夫々に挿通することにより係止される係止部を有し前記発光管を前記底壁に保持するホルダとを備える光源装置において、前記反射シートと前記底壁との間に、第１孔及び第２孔の夫々を閉塞する閉塞部を有し、且つ前記係止部が第２孔に挿通されることにより前記閉塞部が第１孔から外部に押出されるべき可撓シートを配してあることを特徴とする。
【００１２】
この発明にあっては、反射シートと筺体の底壁との間に可撓シートを配することにより該可撓シートを装着することができる。従って、ホルダを挿通係止する孔を閉塞するための閉塞作業性を向上できるとともに、孔の閉塞忘れをなくすることができる。また、ホルダの係止部を第２孔に挿通しつつ押圧することにより可撓シートの閉塞部を撓ませつつ第１孔に押込み、第１孔から底壁の外部に袋状に押出すことができる。従って、第１孔及び第２孔を完全に閉塞することができ、外部の埃が第１孔及び第２孔から筺体内に侵入するのを防ぐことができるとともに、発光管が発光した光が第２孔及び第１孔から筺体の外部に洩れるのを防ぐことができる。
【００１３】
また、本発明に係る光源装置は、前記可撓シートは前記反射シート、又は前記底壁に貼付けてあることを特徴とする。
【００１４】
この発明にあっては、可撓シートを反射シート又は筺体の底壁に予め貼付けることができるため、他の部品に邪魔されることなく可撓シートを貼付けることができ、可撓シートを備える割に組立て作業性を簡易にできる。
【００１５】
また、本発明に係る光源装置は、前記可撓シートは前記反射シートの前記底面と対向する面で且つ夫々の第２孔の周り、又は前記底壁の前面で且つ夫々の第１孔の周りに貼付けてあることを特徴とする。
【００１６】
この発明にあっては、第１孔又は第２孔の周りに可撓シートを完全に貼付けることができるため、貼付剤の不足による可撓シートの浮上がりをなくすることができ、比較的少量の貼付剤で第１孔又は第２孔を完全に閉塞することができる。
【００１７】
また、本発明に係る光源装置の製造方法は、底壁に複数の第１孔を有し内部に発光管を保持すべき筺体内に、第１孔に対応する複数の第２孔を有し前記発光管が発光した光を反射させるべき反射シートを取着し、第１孔及び第２孔の夫々に挿通して前記底壁に係止されるホルダにより前記発光管を筺体内に保持する光源装置の製造方法において、第２孔の夫々を閉塞する閉塞部を有する可撓シートを前記反射シートの前記底面と対向する面に貼付ける貼付工程と、可撓シートが貼付けられた前記反射シートを前記筺体内に取着する取着工程と、前記ホルダを第２孔及び第１孔に挿通して前記閉塞部を第１孔から外部に押出しつつ前記ホルダを前記底壁に係止する係止工程とを含むことを特徴とする。
【００１８】
この発明にあっては、反射シートを可撓シートに予め貼付けることができるため、可撓シートの貼り付け作業性を向上でき、また、反射シートを取着することにより可撓シートを筺体内に装着することができる。また、ホルダの係止部を第２孔に挿通しつつ押圧することにより可撓シートの閉塞部を撓ませつつ第１孔に押込み、第１孔から底壁の外部に袋状に押出すことができ、第１孔及び第２孔を完全に閉塞することができる。従って、ホルダを挿通係止する孔を完全に閉塞することができる割に光源装置の組立て作業性を向上でき、コストダウンを図ることができる。
【発明の効果】
【００１９】
以上詳述したように本発明によれば、ホルダを挿通係止する孔を閉塞するための閉塞作業性を向上できるとともに、孔の閉塞忘れをなくすることができ、しかも、第１孔及び第２孔を完全に閉塞することができ、外部の埃が第１孔及び第２孔から筺体内に侵入するのを防ぐことができるとともに、発光管が発光した光が第２孔及び第１孔から筺体の外部に洩れるのを防ぐことができる。
【００２０】
また、本発明によれば、他の部品に邪魔されることなく可撓シートを貼付けることができ、可撓シートを備える割に組立て作業性を簡易にできる。
【００２１】
また、本発明によれば、貼付剤の不足による可撓シートの浮上がりをなくすることができ、比較的少量の貼付剤で第１孔又は第２孔を完全に閉塞することができる。
【００２２】
また、本発明によれば、ホルダを挿通係止する孔を完全に閉塞することができる割に光源装置の組立て作業性を向上でき、コストダウンを図ることができる。
【発明を実施するための最良の形態】
【００２３】
以下本発明をその実施の形態を示す図面に基づいて詳述する。
図１は本発明に係る光源装置の構成を示す分解図、図２は要部の構成を示す拡大断面図、図３は要部の構成を示す分解した拡大断面図、図４は筺体の構成を示す前面図、図５はホルダの構成を示す側面図である。
【００２４】
図示した光源装置は、複数本が並置される円筒形をなす発光管１と、該発光管１を収容し、発光管１の両端部を支持する筺体２と、発光管１が発光した光を筺体２の開放部側に反射させるべき反射シート３と、発光管１の中間部を筺体２の底壁２１に保持するホルダ４とを備える。
【００２５】
発光管１は両端部に電極を有する冷陰極管であり、夫々の発光管１の電極にインバータ回路基板が接続され、パルス幅変調信号により明るさが制御されるように構成されている。
【００２６】
筺体２は直方体をなす枠部２２と、周縁部が枠部２２に結合され該枠部２２の後側端を閉鎖する底壁２１とを備える。枠部２２の対向する二辺部には、発光管１の両端部が嵌合される嵌合凹部が列設されている。底壁２１には発光管１と対向する位置で、且つ発光管１の長手方向に離隔した位置に複数の第１孔２３が明けられている。
【００２７】
反射シート３は一枚の合成樹脂シートからなり、第１孔２３に対応する複数の第２孔３１と、複数のピン孔とが明けられている。この反射シート３の裏面には第１孔２３及び第２孔３１とピン孔とを閉塞する閉塞部５１を有する可撓シート５が貼付けられている。尚、第２孔３１は第１孔２３とほぼ等径に形成されている。
【００２８】
可撓シート５はゴム系材料により反射シート３に対応する大きさに形成されており、接着剤等の貼付剤により反射シート３に貼付けられている。この貼付けは、例えばシルクスクリーン印刷の印刷技法により夫々の第２孔３１の周りに貼付剤を塗布し、ロール状に巻回された可撓シート５を繰出しつつローラにて可撓シート５を押圧することにより貼付けられる。尚、可撓シート５は反射シート３の第２孔２１が明けられている扁平部に対応する大きさの一枚のシートにより形成されているが、その他、複数枚のシートにより形成されてもよい。また、可撓シート５の貼付けは前記印刷技法により貼付剤を塗布する他、刷毛、クレーパー等により塗布してもよい。
【００２９】
ホルダ４は板状の芯部４１と、該芯部４１の一端に連なり第１孔２３及び第２孔３１に挿通される二つの可撓片４２，４２と、芯部４１の他端に連なり発光管１の中間部が嵌合保持される二つの保持片４３，４３とを有する。
【００３０】
可撓片４２，４２は芯部４１の両側面と対向しており、第１孔２３及び第２孔３１に挿通されるとき芯部４１側へ撓み、第１孔２３及び第２孔３１に挿通されたとき弾性復元し、第１孔２３の孔縁部に係止されるように構成されている。尚、可撓片４２，４２は係止部を構成している。
【００３１】
保持片４３，４３は発光管１の外形に対応して湾曲する湾曲部４３ａと、該湾曲部４３ａの先端から離隔方向へ延出された案内部４３ｂとを有しており、発光管１が嵌め込まれるとき離間方向へ撓むように構成されている。このように構成されたホルダ４の二個は板状の連結部材６により一体に連結されている。連結部材６は芯部４１の他端部と一体成形されており、該連結部材６の中央部に保持片４３，４３と対向する摘み部６１が突設されている。
【００３２】
以上のように構成された光源装置は、後面に可撓シート５が貼付けられた反射シート３を、可撓シート５が後側となるように筺体２内に挿入し、底壁２１に載置する。反射シート３及び底壁２１に明けられたピン孔に頭付ピン７を嵌入し、該頭付ピン７の先端をカシメることにより反射シート３を底壁２１に取着する。
【００３３】
摘み部６１により把持された連結部材６と一体のホルダ４，４の可撓片４２，４２を第２孔３１に挿通しつつ閉塞部５１を押圧することにより該閉塞部５１が撓みつつ第１孔２３内に押し込まれ、さらに第１孔２３から外部へ袋状に押出され、可撓片４２，４２が弾性復元し、第１孔２３の孔縁に係止される。従って、ホルダ４を底壁２１に係止することができる。この後、発光管１の中間部をホルダ４の保持片４３，４３間に嵌め込むことにより該発光管１の中間部をホルダ４に保持することができ、また発光管１の両端部を筺体の嵌合凹部に嵌め込むことにより、発光管１を枠部２２に支持することができる。
【００３４】
このように組立てられた光源装置は、反射シート３の後面に可撓シート５が予め貼付けられているため、閉塞部材としての可撓シート５を別個に装着する必要がなく、第１孔２３及び第２孔３１の閉塞作業性を向上でき、また、第１孔２３及び第２孔３１の閉塞忘れをなくすることができる。
【００３５】
可撓シート５は第２孔３１の周りに貼付けられているため、第２孔３１を完全に閉塞することができ、また、第１孔２３から外部へ袋状に押出された閉塞部５１は図２のように第１孔２３の縁に接触し、第１孔２３を完全に閉塞することができ、完全に埃の侵入を防ぐことができ、また、発光管１が発光した光が第２孔３１及び第１孔２３から筺体２の外部に洩れるのを防ぐことができる。
【００３６】
また、以上のように構成された光源装置は次の製造方法により製造される。
a)  第２孔３１を有する反射シート３の第２孔３１を閉塞する可撓シート５を反射シート３の底壁２１と対向する面に貼付剤により貼付ける。
b)  可撓シート５が貼付けられた反射シート３を筺体２内に挿入し、底壁２１に取着する。
c)  ホルダ４の可撓片４２，４２を第１孔２３に挿通し、閉塞部５１を撓ませつつ第１孔２３の外部に押出すことにより可撓片４２，４２を第１孔２３に係止する。
d)  発光管１の中間部をホルダ４の保持片４３，４３に嵌め込んで保持する。
【００３７】
図６は光源装置の他の実施の形態を示す一部を拡大した断面図である。この光源装置は、ホルダ４と一体成形された連結部材６と底壁２１との間に、ホルダ４の可撓片４２，４２（係止部）が挿通される第３孔８１が明けられている可撓板８を可撓シート５に代えて配してある。可撓板８はゴム系材料により形成されている。
【００３８】
この実施の形態にあっては、発光管１の振動を可撓板８により吸収することができ、発光管１の振動が筺体２の底壁２１に伝わるのを抑制でき、筺体２の共振を低減できる。従って、筺体２の共振による音鳴りを低減できる。発光管１の振動は、例えば発光管１の明るさがパルス幅変調信号により制御されるときに発生する。
その他の構成及び作用は図１〜図５に示した実施の形態と同様であるため、同様の部品については同じ符号を付し、その詳細な説明及び作用効果の説明を省略する。
【００３９】
尚、以上説明した実施の形態では反射シート３の後面で第２孔３１の周りに可撓シート５を貼付けたが、その他、可撓シート５は筺体２の底壁２１で第１孔２３の周りに貼付ける構成としてもよい。また、可撓シート５は反射シート３及び底壁２１に貼付けることなく反射シート３と底壁２１との間で挾着する構成としてもよい。
【００４０】
また、以上説明した実施の形態では反射シート３に対応する大きさの可撓シート５を備える構成としたが、その他、可撓シート５は例えば一つの発光管１に対応して設けられた複数の第２孔３１を閉塞することができる大きさであってもよいし、また、隣合う複数の発光管１に対応して設けられた複数の第２孔３１を閉塞することができる大きさであってもよく、可撓シート５の大きさは特に制限されない。
【図面の簡単な説明】
【００４１】
【図１】本発明に係る光源装置の構成を示す分解図である。
【図２】本発明に係る光源装置の要部の構成を示す拡大断面図である。
【図３】本発明に係る光源装置の要部の構成を示す分解した拡大断面図である。
【図４】本発明に係る光源装置の筺体の構成を示す前面図である。
【図５】本発明に係る光源装置のホルダの構成を示す側面図である。
【図６】本発明に係る光源装置の他の実施の形態を示す一部を拡大した断面図である。
【図７】従来の光源装置の一部を拡大した断面図である。
【符号の説明】
【００４２】
１    発光管
２    筺体
２１  底壁
２３  第１孔
３    反射シート
３１  第２孔
４    ホルダ
４２  可撓片（係止部）
５    可撓シート
５１  閉塞部
【図１】
0004397368.tif 000002
【図２】
0004397368.tif 000003
【図３】
0004397368.tif 000004
【図４】
0004397368.tif 000005
【図５】
0004397368.tif 000006
【図６】
0004397368.tif 000007
【図７】
0004397368.tif 000008